(57)【特許請求の範囲】
【請求項１】
外形が円形に形成され、書き込み可能なボード板を表面に有するカラーボードと、
前記カラーボードを回転自在に支持する支持具と、を備え、
前記支持具は、前記カラーボードの周囲を支持する円形支持枠で構成され、
前記円形支持枠と前記カラーボードとの間に、該カラーボードを回転自在に支持する回転支持具を有し、
前記回転支持具は、前記カラーボードの板厚方向荷重を前記円形支持枠で支持する縦ローラと、前記カラーボードの径方向荷重を前記円形支持枠で支持する横ローラと、を有している、ことを特徴とするカラーボード装置。
【請求項２】
外形が円形に形成され、書き込み可能なボード板を表面に有するカラーボードと、
前記カラーボードを回転自在に支持する支持具と、を備え、
前記支持具は、前記カラーボードの中央部分を下方から支持する支持部材と、該支持部材を上端部に設ける支柱と、を有し、
前記支持部材は、前記支柱に対して前記カラーボードを回転自在に支持する回転支持具を有し、
前記ボード板は、少なくとも表面が磁性体材料で形成され、
前記支持部材は、前記ボード板の磁性体材料を吸着する磁石と、前記支柱に対して前記磁石を回転自在に支持する軸受と、を有している、ことを特徴とするカラーボード装置。
【請求項３】
前記カラーボードは、表面と裏面の両面に前記ボード板を有している、請求項１又は２に記載のカラーボード装置。
【発明の詳細な説明】
【技術分野】
【０００１】
本発明は、表面に文字や図形を記載できるホワイトボードなどのカラーボードを備えたカラーボード装置に関する。
【背景技術】
【０００２】
従来、学生が授業やサークルなどで、少人数の参加者によるグループ学修やアクティブラーニング（能動的学修）を行うことで、議題に対して意見を出し合って考えたり、わかりやすく情報をまとめ直すことがある。また、学生にグループ学修やアクティブラーニングを行わせることで、共働によって課題に取り組むことを学んだり、発表する機会をつくることができる。
【０００３】
そして、このようなアクティブラーニングやグループディスカッションなど（この明細書及び特許請求の範囲の書類中では、これらを総称して、単に「ラーニング」という）に、ホワイトボードを利用する場合がある。例えば、ホワイトボードを用いてラーニングを行う場合、立てられたホワイトボードに複数の人が意見や考えなどを記載することで「思考の可視化」を行い、その記載された内容について複数の人が議論するようなことが行われている。
【０００４】
この種の先行技術として、例えば、ホワイトボードへ書き込んだ描画情報をオンラインで共有できるようにしたシステムがある（例えば、特許文献１参照）。このシステムでは、オンラインホワイトボードとチャットとを連携させるとともに、その書き込み履歴を連動させて再生できるようにして、過去の議論の過程を確認することや、途中から議論に参加する者や別の時間に学習する者でも議論の状況を容易に把握できるようにしている。
【先行技術文献】
【特許文献】
【０００５】
【特許文献１】特開２０１２−４３３８０号公報
【発明の概要】
【発明が解決しようとする課題】
【０００６】
しかし、上記先行技術のようなホワイトボードのシステムは、非常に高価な設備で簡単に設置することができない。そのため、少人数で行うラーニングなどに用いることは難しい。また、広い範囲に書き込むので、参加者は常に場所の移動を伴い、高い位置に書き込むこともあり、書きづらい場合がある。しかも、他の人が記載した内容に書き加える場合はその位置まで行って書き加えるので、参加者の行動範囲が広く、少人数で行うラーニングなどには不向きである。
【０００７】
一方、少人数で行うラーニングなどに使用できるものとして、紙製のボードがある。しかし、紙製のボードの場合、一度書き込んだ情報を消すことができず、議論している内容の変更等が難しい場合がある。
【０００８】
そこで、本発明は、少人数で行うラーニングに適したカラーボードを備えたカラーボード装置を提供することを目的とする。
【課題を解決するための手段】
【０００９】
上記目的を達成するために、本発明は、外形が円形に形成され、書き込み可能なボード板を表面に有するカラーボードと、前記カラーボードを回転自在に支持する支持具と、を備えている。この明細書及び特許請求の範囲の書類中における「円形」は、中心から外形までの距離が全周でほぼ一定距離の外形となったものを含む。
【００１０】
この構成により、円形のカラーボードを回転自在に支持する支持具により、円形のカラーボードを囲んだラーニング中に、そのカラーボードを回転させて書き込みなどができ、ラーニングを効率良く進めることができる。しかも、記載内容を消して内容を書き換えることも容易にできる。そのため、少人数で行うラーニングなどに手軽に利用できるカラーボード装置を提供することができる。
【００１１】
また、前記カラーボードは、表面と裏面の両面に前記ボード板を有していてもよい。
【００１２】
このように構成すれば、ボード板の表面と裏面の両面を用いてラーニングなどを行うことができる。
【００１３】
また、前記支持具は、前記カラーボードの周囲を支持する円形支持枠で構成され、前記円形支持枠と前記カラーボードとの間に、該カラーボードを回転自在に支持する回転支持具を有していてもよい。
【００１４】
このように構成すれば、カラーボードを回転支持具によって円形支持枠の内側で回転自在に支持することができ、円形支持枠を支持した状態でカラーボードを容易に回転させて書き加えたい部分を容易に目前に位置させることができる。
【００１５】
また、前記回転支持具は、前記カラーボードの板厚方向荷重を前記円形支持枠で支持する縦ローラと、前記カラーボードの径方向荷重を前記円形支持枠で支持する横ローラと、を有していてもよい。
【００１６】
このように構成すれば、カラーボードの板厚方向の支持と径方向の支持とをローラで支持するため、カラーボードの円滑な回転支持ができる。
【００１７】
また、前記支持具は、前記カラーボードの中央部分を下方から支持する支持部材と、該支持部材を上端部に設ける支柱と、を有し、前記支持部材は、前記支柱に対して前記カラーボードを回転自在に支持する回転支持具を有していてもよい。
【００１８】
このように構成すれば、カラーボードの中央部分を支柱の上端部に設けられた支持部材で支持すれば、回転支持具によってカラーボードを支柱の上部で回転自在に支持することができ、カラーボードを回転させて効率良くラーニングを行うことができる。しかも、カラーボードのみを支柱から取り外し、取り外した複数のカラーボードのみを集めてラーニングなどを行うこともできる。
【００１９】
また、前記ボード板は、少なくとも表面が磁性体材料で形成され、前記支持部材は、前記ボード板の磁性体材料を吸着する磁石と、前記支柱に対して前記磁石を回転自在に支持する軸受と、を有していてもよい。
【００２０】
このように構成すれば、ボード板の中央部分を支持部材の磁石によって吸着すれば、カラーボードを支持部材の磁石と一体的に回転自在な状態で支柱の上部に保持することができる。しかも、カラーボードのみを容易に取り外すことができる。その上、表面と裏面の両面にボード板を有している場合、取り外して反転させて使用することも容易にできる。
【発明の効果】
【００２１】
本発明によれば、少人数でラーニングを行うときに、支持具に対してカラーボードを回転させながら効率良くラーニングを行うことが可能となる。
【図面の簡単な説明】
【００２２】
【図１】図１は、本発明の第１実施形態に係るカラーボード装置を示す斜視図である。
【図２】図２は、図１に示す支持枠の連結部を示す分解斜視図である。
【図３】図３は、図１に示すIII−III矢視の拡大断面図である。
【図４】図４は、図１に示すIV−IV矢視の拡大断面図である。
【図５】図５は、図１に示すカラーボード装置の使用状態を示す斜視図である。
【図６】図６は、本発明の第２実施形態に係るカラーボード装置を示す側面図である。
【図７】図７は、図６に示すVII−VII矢視の拡大断面図である。
【発明を実施するための形態】
【００２３】
以下、本発明の実施形態を図面に基づいて説明する。以下の実施形態では、円形のカラーボードを回転自在に支持した例を説明する。
【００２４】
［第１実施形態］
図１に示すように、第１実施形態のカラーボード装置１は、円形のカラーボード１０の周囲を支持具２０で回転自在に支持している。この実施形態の支持具２０は、円形のカラーボード１０の周囲を支持する円形支持枠２１で構成されている。カラーボード１０は、中心から外形までの距離が全周でほぼ一定距離の外形となった円形に形成されている。円形支持枠２１は、周方向が複数に分割された分割枠体２２を連結することで形成されている。この実施形態の分割枠体２２は、７分割されたものであり、これらを連結することでカラーボード１０の周囲を支持する円形支持枠２１となっている。
【００２５】
図２に示すように、上記分割枠体２２は、内側が開放したコ字状の断面となっており、この分割枠体２２には、連結部分に上記カラーボード１０の板厚方向を分割した重ね部２３が設けられている。この重ね部２３には、径方向外向きに突出するフランジ部２４がそれぞれ設けられており、このフランジ部２４に設けられた穴に、一方からボルト２６を挿通し、他方のナット２７に螺合することで分割枠体２２が連結される。このボルト２６とナット２７が連結部材２５であり、分割枠体２２の重ね部２３を重ねて連結部材２５で連結することにより、一体化した円形支持枠２１が形成されている。この円形支持枠２１は、例えば、アルミニュームや樹脂などの軽量材料で形成するのが好ましい。なお、この実施形態の連結部材２５は、ボルト２６とナット２７とによって構成されているが、連結部材２５は他の構成でもよい。
【００２６】
一方、図３，４に示すように、上記カラーボード１０は、芯材１１の表面と裏面にボード板１２が接着剤などで接着されて一体となったものである。そのため、このカラーボード１０は、表面と裏面の両面のボード板１２に書き込みができる構成となっている。カラーボード１０としては、例えば、５人〜８人で利用する場合、直径が約１ｍ〜２ｍ程度で形成される。カラーボード１０の大きさは、利用人数などに対応した大きさにすればよい。ボード板１２としては、表面が、例えば、ホーローガラス質を焼き付けたホーロータイプ、スチール板にホワイト塗料を塗布して焼き付けたスチールタイプ、などを用いることができる。
【００２７】
また、上記カラーボード１０の周囲には、このカラーボード１０を上記円形支持枠２１の内面に沿って回転自在に支持する回転支持具３０が設けられている。この回転支持具３０は、カラーボード１０の自重などの下向き荷重を円形支持枠２１のコ字状端面の上下横面で支持する縦ローラ３１と、カラーボード１０の回転時などに横向き荷重を円形支持枠２１のコ字状断面の縦面で支持する横ローラ３２とを有している。これらのローラ３１，３２は、それぞれ軸部３３，３４と、その端部に形成されたローラ部３５，３６とを具備している。回転支持具３０としては、カラーボード１０を回転自在に支持できるものであればよく、例えば、自己潤滑性を有する樹脂ライナーなどであってもよい。
【００２８】
そして、これらのローラ３１，３２は、カラーボード１０の芯材１１の周囲に設けられた保持部材１３に保持されている。保持部材１３は、芯材１１の周囲に設けられたリング状の部材であり、この保持部材１３の所定位置に設けられた軸受１４，１５によって、ローラ３１，３２の軸部３３，３４が支持されている。軸受１４，１５としては、例えば、樹脂製のすべり軸受とすることで、軽量でコンパクトな構成とすることができる。
【００２９】
また、これらの縦ローラ３１と横ローラ３２は、例えば、上記７分割された分割枠体２２の各位置で支持するように、カラーボード１０の周囲の７箇所に設けられる。また、縦ローラ３１と横ローラ３２は、カラーボード１０の周囲に交互に設けられる。縦ローラ３１と横ローラ３２とをこのように交互に設けることにより、後述するようにカラーボード１０の周囲を囲む複数の参加者が手を載せた場合でも、その荷重を円形支持枠２１で適切に支持することができる。しかも、ローラ３１，３２は、すべり軸受１４，１５によって小さな抵抗で回転するので、カラーボード１０を円形支持枠２１の内側で円滑に回転させることができる。
【００３０】
図５に示すように、上記カラーボード装置１によれば、少人数（この例では５人）の参加者７０でカラーボード１０の周囲を囲み、円形支持枠２１を参加者７０の膝の上に置いた状態でラーニングを行うことができる。そして、参加者７０は、自分の前のカラーボード１０に議題や意見などを書き込んで、他の参加者７０とともに議論することができる。
【００３１】
しかも、参加者７０が他の参加者７０の書き込みに対して意見がある場合など、カラーボード１０を円形支持枠２１の内側で回転させることで他の参加者７０の書き込み部分を自分の前に位置させることが容易にできる。そのため、他の参加者７０の書き込みに対する追記などが容易に行える。
【００３２】
さらに、カラーボード１０に一度書き込んだことを消したい場合にも、通常のイレイザー（図示略）によって容易に消すことができ、色々なラーニングを行う場合に、利用可能性の高いカラーボード装置１を提供することができる。
【００３３】
［第２実施形態］
図６は、第２実施形態に係るカラーボード装置を示す側面図であり、図７は、図６に示すVII−VII矢視の拡大断面図である。
【００３４】
図示するように、第２実施形態のカラーボード装置４０は、円形のカラーボード５０の中央部分を支持具６０で支持したものである。この実施形態のカラーボード５０も第１実施形態と同様に円形に形成されており、芯材５１の表面と裏面にボード板５２が接着剤などで接着されて一体となったものである。そのため、このカラーボード５０も、表面と裏面の両面のボード板１２に書き込みができる構成となっている。この実施形態のボード板５２は、スチール板にホワイト塗料を塗布して焼き付けたスチールタイプであり、表面が磁性体材料で形成されている。このカラーボード１０も、例えば、直径が１ｍ程度で形成される。
【００３５】
そして、この実施形態の支持具６０は、上記ボード板５２を吸着する磁石６２を具備した支持部材６１と、この支持部材６１を上端部に設ける支柱６３とを有している。この支柱６３は、下端に円形座６４が設けられ、安定して立った状態を保つようになっている。
【００３６】
上記支持部材６１は、上記支柱６３の上部に固定される固定プレート６５と、上記磁石６２を具備する回転プレート６６とを有し、これらの間に回転支持具たる軸受６７が設けられている。そのため、磁石６２を具備する回転プレート６６は、上記支柱６３に対して回転自在となっている。この実施形態の軸受６７も、例えば、自己潤滑性を有する樹脂ライナーなどの回転支持具であってもよい。
【００３７】
この実施形態のカラーボード装置４０によれば、カラーボード５０の中央部分を支柱６３の上部に設けられた支持部材６１の磁石６２に吸着させることにより、カラーボード５０を支柱６３の上部で回転自在に保持することができる。
【００３８】
従って、このカラーボード装置４０によっても、少人数でカラーボード５０の周囲を囲んでラーニングを行うことができる（上記図５と同様）。そして、参加者は、自分の前のカラーボード５０に議題や意見などを書き込み、参加者で議論することができる。
【００３９】
しかも、参加者が他の参加者の書き込みに対して意見がある場合など、カラーボード５０を支柱６３の上部で回転させることで他の参加者の書き込み部分を自分の前に位置させることが容易にできる。そのため、他の参加者の書き込みに対する追記などが容易に行える。
【００４０】
さらに、カラーボード５０に一度書き込んだことを消したい場合にも、通常のイレイザー（図示略）によって容易に消すことができ、利用可能性の広いカラーボード装置４０を提供することができる。
【００４１】
［総括］
以上のように、上記カラーボード装置１，４０によれば、円形のカラーボード１０，５０を囲んだラーニング中に、そのカラーボード１０，５０を回転させて書き込みなどができ、ラーニングを効率良く進めることができる。しかも、記載内容を消して内容の修正や変更も容易にできる。そのため、少人数で行うアクティブラーニングやグループディスカッションなどに適したカラーボード装置１，４０を提供することが可能となる。
【００４２】
しかも、中心から外形までの距離が全周でほぼ一定距離の円形となったカラーボード１０，５０を用いるため、複数の参加者の全員が同等の距離で議論することができ、自由な意見交換ができる。
【００４３】
また、上記したカラーボード装置１，４０では、カラーボード１０，５０の表面及び裏面の両面を使用することができるので、議題の関連するような議論を行う場合など、カラーボード１０，５０を反転させることで効率良く行うことが可能となる。
【００４４】
なお、上記した実施形態では、真円のカラーボード１０，５０を例に説明したが、カラーボード１０，５０は、中心から外形までの距離が全周でほぼ一定距離で、支持具２０，６０などによって回転可能に支持することができ、複数の参加者が同様の距離で取り囲んで書き込みができればよく、真円のカラーボード１０，５０に限定されるものではない。
【００４５】
また、第１実施形態ではローラ３１，３２でカラーボード１０を回転自在に支持し、第２実施形態では軸受６７を備えた支持部材６１でカラーボード５０を回転自在に支持しているが、カラーボード１０，５０を回転自在に支持する回転支持具３０，６７は他の構成であってもよく、上記実施形態に限定されるものではない。
【００４６】
さらに、上記した実施形態は一例を示しており、本発明の要旨を損なわない範囲での種々の変更は可能であり、本発明は上記した実施形態に限定されるものではない。
【符号の説明】
【００４７】
１  カラーボード装置
１０  カラーボード
１１  芯材
１２  ボード板
１３  保持部材
１４，１５  滑り軸受
２０  支持具
２１  円形支持枠
２２  分割枠体
２３  重ね部
２５  連結部材
３０  回転支持具
３１  縦ローラ
３２  横ローラ
３３，３４  軸部
３５，３６  ローラ部
４０  カラーボード装置
５０  カラーボード
５１  芯材
５２  ボード板
６０  支持具
６１  支持部材
６２  磁石
６３  支柱
６５  固定プレート
６６  回転プレート
６７  軸受（回転支持具）
７０  参加者
【要約】
【課題】  少人数で行うラーニングに適したカラーボードを備えたカラーボード装置を提供すること。
【解決手段】  外形が円形に形成され、書き込み可能なボード板を表面に有するカラーボードと、カラーボードを回転自在に支持する支持具とを備えている。
【選択図】  図１【図１】
0005800101.tif 000002
【図２】
0005800101.tif 000003
【図３】
0005800101.tif 000004
【図４】
0005800101.tif 000005
【図５】
0005800101.tif 000006
【図６】
0005800101.tif 000007
【図７】
0005800101.tif 000008